(57)【要約】【課題】本発明は、ラッチ錠による扉等の優れた開閉操作性を維持しつつ開き扉等の錠止性を向上させた新規錠装置の提供を目的とする。【解決手段】錠本体とラッチ受け具とを備え、ラッチ受け具は、錠本体から出没するラッチ部材のヘッド部の嵌入部と掛止受け部とを有し、錠本体は、突出方向に付勢されたラッチ部材とラッチ部材の没入操作手段と、ラッチ部材の移動ガイド手段とを有し、移動ガイド手段はラッチ部材と錠本体ケース側の台座とのうち一方にガイドピンと回動支点ピンとを有し、他方にガイドピンを水平方向に相対移動するガイド溝と回動支点ピンをガイドする傾斜ガイド溝とを有し、ラッチ部材が突出するとヘッド部に設けた掛止部がラッチ受け具の掛止受け部に掛止するものであることを特徴とする。【選択図】  図１
2008075356.tif 000002
【特許請求の範囲】
【請求項１】
錠本体とラッチ受け具とを備え、
ラッチ受け具は、錠本体から出没するラッチ部材のヘッド部の嵌入部と掛止受け部とを有し、
錠本体は、突出方向に付勢されたラッチ部材とラッチ部材の没入操作手段と、ラッチ部材の移動ガイド手段とを有し、
移動ガイド手段は、ラッチ部材と錠本体ケース側の台座とのうち一方に回動支点ピンとガイドピンとを有し、他方に回動支点ピンを水平方向に相対移動するガイド溝と、ガイドピンをガイドする傾斜ガイド溝とを有し、ラッチ部材がガイド溝に沿って突出するとヘッド部に設けた掛止部が傾斜ガイド溝に沿って傾斜し、ラッチ受け具の掛止受け部に掛止するものであることを特徴とする錠装置。
【請求項２】
ラッチ部材のヘッド部は、錠本体を取り付けた扉が閉じる際にラッチ受け具側に摺接して没入を案内するガイド斜面を有していることを特徴とする請求項１記載の錠装置。
【請求項３】
錠本体はラッチ部材の後退を規制するロック手段を有していることを特徴とする請求項１又は２記載の錠装置。
【発明の詳細な説明】
【技術分野】
【０００１】
本発明は、開き戸、開き扉等の開閉体の開閉を錠止する錠装置に関する。
【背景技術】
【０００２】
開き扉やドアにおいてその開閉を錠止するラッチ錠は公知である。
しかし、従来のラッチ錠は扉等を閉じる際にはノブやハンドルを握手して扉を閉じるだけでラッチボルトのヘッドに有するガイド斜面に案内されて一旦ラッチボルトが没入し、付勢によりラッチ受け側に突出して錠止するので操作性には優れているものの、単にラッチボルトがラッチ受け側に突出しているだけなので、外力等により扉の開き側に撓みが生じると容易にラッチボルトの係止が外れてしまう技術的課題があった。
特開昭５１−５１９６号公報には掛止金具のフック部を受け側の係止棒に掛止する錠止装置を開示するが戸（扉）を閉じる動作の他に錠止する操作が必要であり、扉の開閉性に劣るものである。
【０００３】
【特許文献１】特開昭５１−５１９６号公報
【発明の開示】
【発明が解決しようとする課題】
【０００４】
本発明は、ラッチ錠による扉等の優れた開閉操作性を維持しつつ開き扉等の錠止性を向上させた新規錠装置の提供を目的とする。
【課題を解決するための手段】
【０００５】
本発明の技術的要旨は、錠装置であって、錠本体とラッチ受け具とを備え、ラッチ受け具は、錠本体から出没するラッチ部材のヘッド部の嵌入部と掛止受け部とを有し、錠本体は、突出方向に付勢されたラッチ部材とラッチ部材の没入操作手段と、ラッチ部材の移動ガイド手段とを有し、移動ガイド手段は、ラッチ部材と錠本体ケース側の台座とのうち一方に回動支点ピンとガイドピンとを有し、他方に回動支点ピンを水平方向に相対移動するガイド溝と、ガイドピンをガイドする傾斜ガイド溝とを有し、ラッチ部材がガイド溝に沿って突出するとヘッド部に設けた掛止部が傾斜ガイド溝に沿って傾斜し、ラッチ受け具の掛止受け部に掛止するものであることを特徴とする。
錠本体は開き扉等の開き側の端部に取り付け、これと対向した位置の固定枠側にラッチ受け具を取り付けることになる。
ここで没出するのはラッチ部材であるがラッチ部材に回動支点ピンとガイドピンを設けても、ラッチ部材にガイド溝と傾斜ガイド溝を設けてもよいために相対移動と表現した。
ガイド溝は、回動支点ピンを概ね水平方向に移動するのをガイドするものであり、傾斜ガイド溝は、ラッチ部材が突出するにつれてヘッド部がラッチ受け具の掛止受け部に向けて傾斜するようにガイドピンの移動をガイドするものである。
ガイド溝と傾斜ガイド溝は、それぞれ別々に形成しても、１本の溝として連結形成しても良い。
傾斜ガイド溝は、ラッチ部材の突出量に応じて徐々に傾斜量を増大させても良いが突出初期は回動支点ピンのガイド溝と同様に概ね水平移動させ、突出終了近くの先端付近で大きく傾斜させるとラッチ受け具側との取り付け位置調整がしやすい。
なお、本明細書にて水平方向とはラッチ部材が没出する方向をいい、垂直方向とはラッチ部材の没出方向に対して直角方向をいう。
【０００６】
請求項２記載の発明の技術的要旨は、ラッチ部材のヘッド部は扉が閉じる際にラッチ受け具側に摺接して没入を案内するガイド斜面を有していることを特徴とする。
これにより扉等を閉じる際にはラッチ部材が突出方向の付勢力に対抗しながら後退し、ラッチ受け具の嵌入部に位置するとラッチ部材（ラッチボルト）が突出する。
【０００７】
請求項３記載の発明の技術的要旨は、錠本体はラッチ部材の後退を規制するロック手段を有していることを特徴とする。
これにより、ラッチ部材のヘッド部の掛止部がラッチ受け具の掛止受け部に掛止めした状態でロックされる。
【発明の効果】
【０００８】
本発明に係る錠装置においては、ラッチ錠でありながら施錠時にはラッチ部材を傾斜させてヘッド部に設けた掛止部をラッチ受け具に設けた掛止受け部に掛止めするため、ラッチ部材のヘッド部をラッチ受け具から抜こうとする力が扉に加わっても、掛止部が掛止受け部に掛かって扉が開くのを防止できる。
特に、ラッチ部材又は錠本体ケース側のどちらかに回動支点ピンとガイドピンを設け、他方にラッチ部材が没出するのをガイドする回動支点ピンのガイド溝の他に、ラッチ部材が突出するにつれてヘッド部が傾斜するガイドピンの傾斜ガイド溝を設けたので、ラッチ部材が突出した状態では、ラッチ部材のヘッド部がラッチ受け具側と掛止めするので、錠止力が高い。
【発明を実施するための最良の形態】
【０００９】
本発明に係る扉の錠装置例について以下、図面に基づいて説明する。
図１は錠装置の内部構造の説明図で図１（ａ）はラッチ部材３０のヘッド部３１がラッチ係止孔８２に嵌入し扉が閉じた状態を示し、図１（ｂ）はハンドル（図示省略）操作でラッチ部材３０を後退させて扉を開くことが出来るようにした状態を示す。
錠装置１０は、錠本体２０とラッチ受け具８０とからなり、錠本体２０は揺動する扉側に装着することでラッチ部材３０のヘッド部３１を扉の開放端から弾性付勢して突出させ、ラッチ受け具８０は扉を固定するための固定側枠体に装着してラッチ部材３０のヘッド部３１を受け入れる。
図２に錠本体２０の内部構造の斜視説明図を示す。
図１では扉と固定側枠体は図示省略してあり、図１、図２は錠装置の内部構造がわかるように錠本体２０の台座４０やラッチ受け具８０のケース８５等の一部を取り除いて要部のみを描いてある。
ラッチ受け具８０は、ラッチ部材３０のヘッド部３１を挿通する所定形状に金属板を貫通してラッチ係止孔８２を設けた受け座８１と、受け座８１が形成するラッチ係止孔８２の内方にラッチ部材３０のヘッド部３１を嵌入可能な嵌入部８３とをケース８５に設けてある。
錠本体２０内部には、ラッチ部材３０と弾性付勢部材（コイルバネ）４３と、ハンドル操作体５０とラッチ駆動体６０と、ロック操作体７０とを配設してある。
ラッチ部材３０は、ベース部３４の先にヘッド部３１を有してヘッド部３１にはガイド斜面３３と鉤形の掛止部３２を設けてある。
図２に示すようにガイド斜面３３は、扉を閉じる時にラッチ受け具８０の受け座８１の縁部に摺接してその斜面により案内して、弾性付勢されて突出しているラッチ部材３０を弾性付勢力に抗して後退させるように設けてある。
ラッチ部材３０は、図１（ｂ）に示す後退位置から突出してヘッド部３１をラッチ係止孔８２に挿通すると、後述するようにベース部３４に設けた回動支点ピン４２とガイドピン４１がガイド溝３５で案内されることで図１（ａ）に示すように所定角度傾斜する。
そして、このようにラッチ係止孔８２に挿入した状態で所定角度傾斜することで掛止部３２が、ラッチ係止孔８２の縁部に形成してある掛止受け部８４に掛止めする。
ここで、掛止部３２が掛止受け部８４に対してラッチ係止孔８２の奥側となって、ラッチ部材３０のヘッド部３１がラッチ係止孔８２から抜ける方向に移動した時に掛止部３２の鈎形が掛止受け部８４に掛かって、ヘッド部３０がラッチ係止孔８２から抜けることを防止する。
ラッチ部材３０のベース部３４には図１において手前と奥側の両面にそれぞれ開口するガイド溝３５を設けて、ガイド溝３５の両側開口部には、錠本体のケース側の台座４０に設けた回動支点ピン４２とガイドピン４１が挿入されている。
【００１０】
図１に示したガイド溝３５は、回動支点ピン４２用のガイド溝とガイドピン４１用ガイド溝及び傾斜ガイド溝を１本の溝として連続形成した例を示すが、回動支点ピン用とガイドピン用のガイド溝を別々に形成しても良い。
図１に示した例では、 ガイドピン水平ガイド溝３５ａと回動支点ピンガイド溝３５ｃとを、その位置がラッチ部材３０の突出方向のそれぞれ前側と後側となり、ラッチ部材３０を突出させる方向に平行な溝で形成してあり、互いに溝幅方向に所定幅ずらしてある。
そして、ガイドピン水平ガイド溝３５ａのラッチ部材３０の突出方向の後端からガイドピン水平ガイド溝３５ａに対してガイド溝３５を鈍角に折り曲げて所定角度傾斜させた傾斜ガイド溝３５ｂを設けて、この傾斜ガイド溝３５ｂでガイドピン水平ガイド溝３５ａと回動支点ピンガイド溝３５ｃとの間を繋げてある。
ガイド溝３５と回動支点ピン４２、ガイドピン４１は、回動支点ピン４２を回動支点ピンガイド溝３５ｃで直線ガイドし、かつ、ガイドピン４１をガイドピン水平ガイド溝３５ａで直線ガイドして、図１（ｂ）に示すラッチ部材の後退位置からラッチ部材のヘッド部を突出させた時に所定位置まで直線的にラッチ部材３０を案内してヘッド部３１をラッチ係止孔８２に挿通させるようにしてある。
そしてラッチ係止孔８２にヘッド部３１を挿通させた状態でガイドピン４１をガイドピン水平ガイド溝３５ａから傾斜ガイド溝３５ｂに案内することでラッチ部材突出方向に対する傾斜方向にガイドピン４１を案内して、ラッチ部材３０を回動支点ピン４２を回動支点ピンガイド溝３５ｃで案内しながら回動支点として傾斜させるようにしてある。
ラッチ部材３０は、このようにガイド溝３５と回動支点ピン４２及びガイドピン４１で案内されてラッチ係止孔８２に挿入することで、突出位置で所定角度にまで傾斜して掛止部３２が掛止受け部８４に掛止めする。
なお、図１に示した実施例は、ラッチ部材側にガイド溝を形成したが、逆に台座側にガイド溝を形成して、ラッチ部材にガイドピンと回動支点ピンを設けても良い。
ラッチ部材３０は、弾性付勢部材（コイルバネ）４３の一端を台座４０に設けた弾性付勢部材ホルダ４４に取り付け、他端をベース部３４に設けたバネ受け部３６に取り付けて扉の開放端から突出する方向に弾性付勢してある。
台座４０にはラッチ部材３０を後退操作するために、ハンドル操作体５０とラッチ駆動体６０とをそれぞれ軸着して配設してある。
ハンドル操作体５０には操作アーム５１とハンドル軸孔５２とを設けバネ５４で弾性付勢してあり、このハンドル軸孔５２に取り付けたハンドル（図示省略）をバネ５４の弾性付勢力に抗して操作すると操作アーム５１が揺動する。
ラッチ駆動体６０はアーム受け部６１と連動アーム６２とを設けて、ハンドル操作体５０の操作アーム５１が揺動してこのアーム受け部６１を押し込んでラッチ駆動体６０を回動させて連動アーム６２を揺動させるようにしてある。
これによりハンドル操作体５０とラッチ駆動体６０は、図１（ａ）に示すようにラッチ部材３０が突出位置にある時にハンドル操作することで連動アーム６２を揺動させて、ラッチ部材３０のベース部３４から突出して設けてある駆動力受け部３７の回動案内斜面３７ａを連動アーム６２で摺接して押し込み、ラッチ部材３０を後退駆動する。
ラッチ部材３０は、図１（ａ）に示す掛止状態で連動アーム６２の押圧力を駆動力受け部３７の回動案内斜面３７ａで受けると、ガイドピン４１を傾斜ガイド溝３５ｂ内でガイドピン水平ガイド溝３５ａとの境界部へ移動させて回動支点ピン４２を回動軸として平行に戻るように回動して掛止めを外し、連動アーム６２の押圧力を回動案内斜面３７ａで摺接で受けながら回動支点ピン４２、ガイドピン４１を回動支点ピンガイド溝３５ｃ、ガイドピン水平ガイド溝３５ａで直線ガイドして図１（ｂ）に示す後退位置まで後退する。
このラッチ部材３０の後退駆動操作は、後述するロック操作体７０が図１（ａ）のようにロックアーム部７３の端部をロック受け部３４ａから外してロックを解除していれば行うことが出来る。
図２に示すようにロック操作体７０には軸部７４の両端にロック操作体７０を回動操作するための内鍵７１と錠部７２とを連結してある（内側開き扉の場合）。
また、ロック操作体７０の軸部７４には、軸径方向にロックアーム部７３が設けてあり、図１に示すように軸部７４の外周の所定位置には軸方向の平面で切り欠いた平面部７４ａが設けてある。
そして、軸部７４の側面には板バネホルダ４６を台座４０に設けて配設した２枚の板バネ４５を板バネ４５を撓ませた状態で軸部７４を挟んだ両側から摺接してある。
ロック操作体７０は錠部７２のキー挿入による回動操作や内鍵７１の回動操作でロックアーム部７３を揺動させ、このロックアーム部７３の揺動によりロックアーム部７３の端部を突出位置にあるラッチ部材３０の後側端部にあてがわせるようにしてある。
そして、ラッチ部材３０の後側端部にはロックアーム部７３の端部を嵌めるロック受け部３４ａが形成してあるため、突出傾斜した状態のラッチ部材３０は、錠部７２のキー挿入による回動操作や内鍵７１の回動操作で駆動したロックアーム部７３の端部をロック受け部３４ａに嵌めてガイド溝３５とピン４１、４２によるガイド移動がロックされることで、位置固定される。
ロック操作体７０は、このように突出位置にあるラッチ部材３０のロック受け部３４ａにロックアーム部７３の端部を嵌めた時に、同時に、平面部７４ａ位置が板バネ４５位置と合うようにしてあり、板バネ４５を平面部７４ａに圧接させて軸部７４の回動を固定してロックアーム部７３がラッチ部材をロックした状態を保持する。
【００１１】
次に扉を開閉する時の錠装置１０の動作について図３の説明図を用いて説明する。
図３（ａ）は  扉１を揺動により開いた状態を示し、図３（ｂ）は扉１を閉じる途中の状態を示し、図３（ｃ）は扉１を閉じた状態を示し、図３（ｄ）はハンドル（図示省略）を操作してラッチ部材３０の後退駆動を開始した状態を示す。
図３は、錠装置１０と、錠本体２０を取り付けた扉１と、ラッチ受け具８０を取り付けた柱や相手側扉等の固定側枠体２の要部のみを描いてある。
図３（ａ）に示すように扉１を開けてハンドル操作体５０のハンドル軸孔５２に取り付けたハンドル（図示省略）の操作を行っていない状態では、弾性付勢部材４３の弾性付勢力でラッチ部材３０は扉の開放端１ａから突出する。
図３（ａ）の状態から扉１を閉じると、ラッチ部材３０のヘッド部３１が図２に示すガイド斜面３３部分でラッチ受け具８０の受け座８１に当たり、扉１が閉じるに従ってガイド斜面３３に案内され、弾性付勢部材４３の弾性付勢力に抗して図３（ｂ）に示すように後退する。
この時ラッチ部材３０は、ガイドピン４１を傾斜ガイド溝３５ｂ内で移動させて回動支点ピン４２を回動軸として傾斜状態から平行状態に戻し、ガイドピン４１を傾斜ガイド溝３５ｂからガイドピン水平ガイド溝３５ａに嵌めて案内移動させ、回動支点ピン４２は回動支点ピンガイド溝３５ｃで案内移動させて後退方向に直線移動する。
そして、扉１が閉じた位置ではラッチ部材３０のヘッド部３１の位置がラッチ係止孔８２位置と合い、弾性付勢部材４３の弾性付勢力でラッチ部材３０のヘッド部３１がラッチ受け具８０のラッチ係止孔８２に挿通して突出する。
このラッチ係止孔８２に挿通して突出する時に、ラッチ部材３０はガイドピン４１をガイドピン水平ガイド溝３５ａから傾斜ガイド溝３５ｂに移動させて、回動支点ピン４２を回動支点ピンガイド溝３５ｃで直線ガイドしつつ回動軸として、ラッチ部材３０が突出した位置で図３（ｃ）に示すように掛止部３２が掛止受け部８４に掛止めする所定角度に傾斜する。
図３（ｃ）に示す扉１が閉じた状態では、扉１が開く方向のラッチ部材３０のヘッド部３１の移動をラッチ受け具８０のラッチ係止孔８２の縁部が規制して、扉１が閉じた状態が保持される。
図３（ｃ）の状態からハンドル操作してハンドル操作体５０を回動させると、ハンドル操作体５０が回動してラッチ駆動体６０のアーム受け部６１を操作アーム５１で押し込んでラッチ駆動体６０を回動させる。
ラッチ駆動体６０は回動することで連動アーム６２を揺動させ、連動アーム６２の端部でラッチ部材３０の駆動力受け部３７にラッチ部材３０を後退駆動させる押圧力を加える。
後退駆動のための押圧力が連動アーム６２から駆動力受け部３７の回動案内斜面３７ａに加わると、ラッチ部材３０が、まず回動支点ピン４２を軸としてガイドピン４１を傾斜ガイド溝３５ｂからガイドピン水平ガイド溝３５ａとの境界まで移動させるように回動することで、図３（ｄ）に示すように平行状態に戻る。
そして連動アーム６２の押圧力を回動案内斜面３７ａで摺接で受けながらガイドピン４１をガイドピン水平ガイド溝３５ａに嵌めて、回動支点ピン４２は回動支点ピンガイド溝３５ｃで案内し、ガイドピン４１はガイドピン水平ガイド溝３５ａで案内してラッチ部材３０を図１（ｂ）に示すような後退位置となるまで直線的に後退駆動する。
ラッチ部材３０が図１（ｂ）に示すような後退位置となると扉が開けられるようになる。
【００１２】
次に錠止をした時の錠装置１０について図４を用いて説明する。
錠装置１０の施錠は、図１（ａ）に示す状態から図２に示す錠部７２にキーを挿入して回動するか、内鍵７１を回動して行う。
錠部７２及び内鍵７１はロック操作体７０に連結してあるため、錠部７２のキーによる回動操作あるいは内鍵７１の回動操作でロック操作体７０は回動する。
ロック操作体７０は回動することで図４に示すようにロックアーム部の端部を、突出位置にあるラッチ部材３０の後側端部の受け部３４ａに嵌めてラッチ部材３０のガイド溝３５とピン４１、４２によるガイド移動をロックする。
そして、このラッチ部材３０をロックした角度で軸部７４の平面部７４ａに板バネ４５が圧接して、ロック操作体７０はラッチ部材３０をロックした状態で回動が固定される。
ラッチ部材は所定角度傾斜して掛止部３２を掛止受け部８４に掛止めしているため、この状態で図５に示すように例えば扉１を開く方向に無理に押して撓ませる等してラッチ部材３０をラッチ係止孔８２から引き抜こうとしても、掛止部３２が掛止受け部８４に掛かりラッチ部材３０がラッチ係止孔８２から抜けて扉の固定が解除されることを防止する。
この錠装置は図１（ａ）に示すようにラッチ部材の突出により掛止めするため、ハンドル操作をすることなく扉を開く方向の何らかの強い力が加わった場合にも、掛止部３２が掛止受け部８４に掛かりラッチ部材３０がラッチ係止孔８２から抜けて扉が開くことを防止する。
本発明においては、図６に示すように、内カバー８６ａに雌ねじ部８６ｂを形成し、掛止受け部ベースに上下方向の長孔８３ａを設け、図６（ｂ）に示すように、掛止位置を調整してビス８３ｃ等で固定しても良い。
【図面の簡単な説明】
【００１３】
【図１】錠装置の内部構造の説明図を示し、（ａ）はラッチ部材をラッチ係止孔に嵌入させて扉を閉じた状態を示し、（ｂ）はハンドル操作でラッチ部材を後退させて扉を開くことが出来るようにする状態を示す。
【図２】錠本体の内部構造の斜視説明図を示す。
【図３】扉を開閉する時の錠装置の動作説明図を示す。
【図４】錠止した錠装置状態の説明図を示す。
【図５】扉を開く強い力が加わった時の状態の説明図を示す。
【図６】ラッチ受け具に掛止位置調整機構を設けた例を示す。
【符号の説明】
【００１４】
１      扉
１ａ    扉の開放端
２      固定側枠体
１０    錠装置
２０    錠本体
３０    ラッチ部材
３１    ヘッド部
３２    掛止部
３３    ガイド斜面
３４    ベース部
３４ａ  ロック受け部
３５    ガイド溝
３５ａ  ガイドピン水平ガイド溝
３５ｂ  傾斜ガイド溝
３５ｃ  回動支点ピンガイド溝
３６    バネ受け部
３７    駆動力受け部
３７ａ  回動案内斜面
４０    台座
４１    ガイドピン
４２    回動支点ピン
４３    弾性付勢部材
４４    弾性付勢部材ホルダ
４５    板バネ
４６    板バネホルダ
５０    ハンドル操作体
５１    操作アーム
５２    ハンドル軸孔
５３    バネ受け
５４    バネ
６０    ラッチ駆動体
６１    アーム受け部
６２    連動アーム
７０    ロック操作体
７１    内鍵
７２    錠部
７３    ロックアーム部
７４    軸部
７４ａ  平面部
８０    ラッチ受け具
８１    受け座
８２    ラッチ係止孔
８３    嵌入部
８４    掛止受け部
８５    ラッチ受け具ケース
８６    内カバー
【図１】
2008075356.tif 000003
【図２】
2008075356.tif 000004
【図３】
2008075356.tif 000005
【図４】
2008075356.tif 000006
【図５】
2008075356.tif 000007
【図６】
2008075356.tif 000008